(57)【特許請求の範囲】
【請求項１】
収納庫と、
前記収納庫に設けられた充電ステーションと、
第１制御装置、前記第１制御装置に電力を供給する第１電源装置、及び二次電池を有する加熱調理器と、
を備え、
前記二次電池は、前記加熱調理器が前記収納庫の上面に載せられると前記充電ステーションから供給される電力によって充電され、
前記加熱調理器は、前記収納庫から取り外し可能であり、
前記第１電源装置は、
前記加熱調理器が前記収納庫に載せられると、前記充電ステーションから電力が供給され、
前記加熱調理器が前記収納庫から取り外されると、前記二次電池から電力が供給され、
前記加熱調理器は、電源プラグを接続するための接続部を更に備え、
前記電源プラグが前記接続部に接続されると、前記電源プラグからの電力が前記第１電源装置に供給される調理装置。
【請求項２】
前記収納庫は、内部を冷却する冷却装置を備えた請求項１に記載の調理装置。
【請求項３】
前記収納庫は、
前記冷却装置を制御する第２制御装置と、
前記冷却装置に電力を供給する第２電源装置と、
を更に備え、
前記充電ステーションは、前記第２電源装置から電力が供給される請求項２に記載の調理装置。
【請求項４】
前記収納庫は車輪を備えた請求項１から請求項３の何れか一項に記載の調理装置。
【請求項５】
前記収納庫は、上面の高さを調節可能な高さ調節手段を備えた請求項１から請求項３の何れか一項に記載の調理装置。
【請求項６】
前記加熱調理器は、前記二次電池の残量が基準値を下回った旨を報知する報知手段を備えた請求項１から請求項５の何れか一項に記載の調理装置。
【請求項７】
前記充電ステーションは、前記収納庫の上面に設けられ、前記加熱調理器が前記収納庫の上面に載せられると上方が前記加熱調理器によって覆われる請求項１から請求項６の何れか一項に記載の調理装置。
【請求項８】
前記加熱調理器は、
コイルと、
前記第１制御装置に備えられた、前記コイルに流す電流を制御する動作制御手段と、
を備え、
前記第１電源装置は、前記コイルに電力を供給し、
前記動作制御手段は、前記第１電源装置に前記充電ステーションから電力が供給されている場合は第１基準値以上の電流を前記コイルに流さない第１制御を行い、前記第１電源装置に前記二次電池から電力が供給されている場合は前記第１基準値より小さい第２基準値以上の電流を前記コイルに流さない第２制御を行う請求項１から請求項７の何れか一項に記載の調理装置。
【請求項９】
前記加熱調理器は、
コイルと、
前記第１制御装置に備えられた、前記コイルに流す電流を制御する動作制御手段と、
被加熱調理器具が載せられたことを検出する第１検出手段と、
電化調理器具が載せられたことを検出する第２検出手段と、
を備え、
前記動作制御手段は、被加熱調理器具が載せられたことが前記第１検出手段によって検出されると誘導加熱によって被加熱調理器具を加熱するための第１制御を行い、電化調理器具が載せられたことが前記第２検出手段によって検出されると電化調理器具に電力を供給するための第２制御を行う請求項１から請求項７の何れか一項に記載の調理装置。
【請求項１０】
前記加熱調理器は、
コイルと、
前記第１制御装置に備えられた、前記コイルに流す電流を制御する動作制御手段と、
被加熱調理器具が載せられた旨を入力するための第１入力手段と、
電化調理器具が載せられた旨を入力するための第２入力手段と、
を備え、
前記動作制御手段は、被加熱調理器具が載せられた旨が前記第１入力手段から入力されると誘導加熱によって被加熱調理器具を加熱するための第１制御を行い、電化調理器具が載せられた旨が前記第２入力手段から入力されると電化調理器具に電力を供給するための第２制御を行う請求項１から請求項７の何れか一項に記載の調理装置。
【請求項１１】
前記加熱調理器は、
コイルと、
前記第１制御装置に備えられた、前記コイルに流す電流を制御する動作制御手段と、
電化調理器具が載せられた旨を入力するための入力手段と、
を備え、
前記動作制御手段は、電化調理器具が載せられた旨が前記入力手段から入力されていなければ誘導加熱によって被加熱調理器具を加熱するための第１制御を行い、電化調理器具が載せられた旨が前記入力手段から入力されると電化調理器具に電力を供給するための第２制御を行う請求項１から請求項７の何れか一項に記載の調理装置。
【発明の詳細な説明】
【技術分野】
【０００１】
この発明は、調理装置に関する。
【背景技術】
【０００２】
特許文献１及び２に、ＩＨクッキングヒータと呼ばれる加熱調理器が記載されている。特許文献１及び２に記載された加熱調理器は可搬型である。特許文献１及び２に記載された加熱調理器は、例えばキッチンに設けられた棚に収納される。加熱調理器は、使用する際に棚から取り出され、卓上に配置される。
【先行技術文献】
【特許文献】
【０００３】
【特許文献１】特開２０１２−８４２３６号公報
【特許文献２】特許第５６２９０２７号公報
【発明の概要】
【発明が解決しようとする課題】
【０００４】
特許文献１に記載された加熱調理器は、使用しない時にキッチンに設けられた棚等に収納される。このため、キッチンの棚等に、加熱調理器用の広い収納スペースが必要になる。
【０００５】
この発明は、上述のような課題を解決するためになされた。この発明の目的は、加熱調理器を一部に組み込むことによってキッチンの棚等に加熱調理器用の収納スペースを設ける必要がない調理装置を提供することである。
【課題を解決するための手段】
【０００６】
この発明に係る調理装置は、収納庫と、収納庫に設けられた充電ステーションと、第１制御装置、第１制御装置に電力を供給する第１電源装置、及び二次電池を有する加熱調理器と、を備える。二次電池は、加熱調理器が収納庫の上面に載せられると充電ステーションから供給される電力によって充電される。加熱調理器は、収納庫から取り外し可能である。第１電源装置は、加熱調理器が収納庫に載せられると、充電ステーションから電力が供給され、加熱調理器が収納庫から取り外されると、二次電池から電力が供給される。加熱調理器は、電源プラグを接続するための接続部を更に備える。電源プラグが接続部に接続されると、電源プラグからの電力が第１電源装置に供給される。
【発明の効果】
【０００７】
この発明に係る調理装置は、加熱調理器を一部に組み込む。このため、キッチンの棚等に加熱調理器用の収納スペースを設ける必要がない。
【図面の簡単な説明】
【０００８】
【図１】この発明の実施の形態１における調理装置をリビングに設置した状態を示す図である。
【図２】この発明の実施の形態１における調理装置の断面を示す図である。
【図３】キャスターの機能を説明するための図である。
【図４】加熱調理器の構成例を示す図である。
【図５】加熱調理器の他の例を示す図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１は、この発明の実施の形態１における調理装置１をリビングに設置した状態を示す図である。図２はこの発明の実施の形態１における調理装置１の断面を示す図である。図１に示すように、調理装置１は、例えば家のリビングに設置される。リビングでくつろぐ時或いは来客時等に調理装置１は使用される。家のリビングに設置しても違和感がないように、調理装置１にはインテリア性に優れた設計が施されることが好ましい。なお、調理装置１の使用目的及び設置場所は上記に限定されない。例えば、調理装置１を家のキッチンに設置しても良い。
【００１１】
調理装置１は、例えば、収納庫２、充電ステーション３及び加熱調理器４を備える。
【００１２】
収納庫２は、内部に物を収納するためのものである。図１及び図２は、収納庫２が冷蔵庫である例を示す。収納庫２は、例えば保温庫或いは乾燥庫であっても良い。収納庫２は、例えばワインセラーであっても良い。図１及び図２に示す収納庫２は、例えば筐体部５と扉６とを備える。筐体部５に、貯蔵する物を収納するためのスペース５ａと、機器を収納するためのスペース５ｂとが形成される。
【００１３】
扉６は、筐体部５に開閉自在に設けられる。扉６が閉められると、スペース５ａが密閉される。図２に示すように、スペース５ａに、例えば棚及びポケットが配置される。また、スペース５ａは、例えば全体或いは一部が断熱構造体７によって覆われる。断熱構造体７として真空断熱材を採用しても良い。
【００１４】
収納庫２は、スペース５ａ或いは５ｂに、温度センサ８、冷却装置９、排気ファン１０、制御装置１１及び電源装置１２を備える。図２は、制御装置１１及び電源装置１２が一体的に設けられている例を示す。
【００１５】
温度センサ８は、例えばスペース５ａに配置される。温度センサ８は、例えば冷蔵庫の内部の温度を検出する。温度センサ８は、制御装置１１に電気的に接続される。温度センサ８によって検出された温度の情報は、制御装置１１に入力される。
【００１６】
冷却装置９は、例えばスペース５ｂに配置される。冷却装置９は、例えば冷蔵庫の内部を冷却する。図２は、冷却装置９がペルチェ素子９ａと放熱体９ｂと冷却ファン９ｃとを備える例を示す。冷却装置９が冷却する方式は、上記に限定されない。例えば、冷却装置９は冷媒を備えても良い。冷却装置９は、制御装置１１に電気的に接続される。冷却装置９の動作は、制御装置１１によって制御される。例えば、制御装置１１は、温度センサ８によって検出された温度に基づいて冷却装置９を制御する。制御装置１１は、ペルチェ素子９ａの温度を監視し、冷却装置９の故障の有無を判定しても良い。
【００１７】
排気ファン１０は、スペース５ｂの温かい空気を収納庫２の外に排出するためのファンである。排気ファン１０は、例えばスペース５ｂに配置される。筐体部５に、例えばスペース５ｂに通じる吸気孔１３と排気孔１４とが形成される。排気ファン１０が回転すると、収納庫２の外の空気が吸気孔１３からスペース５ｂに取り込まれる。また、排気ファン１０が回転すると、スペース５ｂの空気が排気孔１４から収納庫２の外に排出される。排気ファン１０は、制御装置１１に電気的に接続される。排気ファン１０の動作は、制御装置１１によって制御される。
【００１８】
電源装置１２は、制御装置１１及び冷却装置９等に電力を供給する。電源装置１２に、電源プラグ１５が接続される。電源プラグ１５がリビング等に設けられたコンセント（図示せず）に差し込まれることにより、電源装置１２に電力が供給される。
【００１９】
収納庫２は、キャスター１６を備える。キャスター１６は、例えば筐体部５の下部に設けられる。図３はキャスター１６の機能を説明するための図である。キャスター１６は、例えば高さ調節軸１７及び車輪１８を備える。
【００２０】
高さ調節軸１７は、調理装置１の上面の高さを調節する手段の一例である。高さ調節軸１７の長さを調節することにより、収納庫２の上面の高さをある一定の範囲内で多段階或いは無段階に調節することができる。調理装置１をリビングに設置する場合、高さ調節軸１７の長さを調節することにより、調理装置１の上面を隣接する家具の上面と同じ高さに合わせることができる。
【００２１】
車輪１８は、高さ調節軸１７の下端部に回転可能に設けられる。収納庫２に車輪１８が備えられることにより、調理装置１を簡単に移動させることができる。これにより、調理装置１を調理ワゴンとして扱うことができる。調理装置１のインテリア性を考慮し、キャスター１６を隠すための化粧板を筐体部５の下部に設けても良い。
【００２２】
充電ステーション３は、加熱調理器４に電力を供給する。充電ステーション３は、例えば収納庫２の上面に設けられる。図２は、収納庫２から充電ステーション３に電力が分配される例を示す。充電ステーション３は、例えば電源装置１２から電力が供給される。
【００２３】
加熱調理器４は、所謂ＩＨクッキングヒータと呼ばれる調理器である。加熱調理器４は、例えば収納庫２の上面に載せられた状態で使用される。加熱調理器４が収納庫２の上面の電力供給位置に載せられると、充電ステーション３から加熱調理器４に電力が供給される。電力供給位置は予め設定される。電力供給位置に加熱調理器４を載せる向きも予め設定される。加熱調理器４は、収納庫２の上から取り外して使用することができる。図１は、加熱調理器４をリビングのテーブルで使用する例を示す。
【００２４】
図４は、加熱調理器４の構成例を示す図である。加熱調理器４は、例えば筐体部１９、トッププレート２０、操作パネル２１及び表示装置２２を備える。
【００２５】
トッププレート２０は、筐体部１９の上部に設けられる。トッププレート２０は、例えば板状の強化ガラスからなる。トッププレート２０の上に、被加熱調理器具が載せられる。被加熱調理器具は、加熱調理器４によって加熱される調理器具である。被加熱調理器具の一例として鍋が図１に示されている。
【００２６】
操作パネル２１は、加熱調理器４の使用者が入力を行うための装置である。操作パネル２１は、例えば複数の釦を備える。使用者は、オン、オフ及び火力の調節といった操作を操作パネル２１から行うことができる。操作パネル２１は、例えば筐体部１９の前面に設けられる。表示装置２２は、情報を報知する手段の一例である。情報を報知する手段として、ランプ等の他の装置を備えても良い。表示装置２２は、例えば筐体部１９の前面に設けられる。
【００２７】
加熱調理器４は、筐体部１９の内部に、例えばコイル２３、制御装置２４、電源装置２５及び二次電池２６を備える。
【００２８】
コイル２３は、トッププレート２０の上に置かれた被加熱調理器具を加熱するための誘導コイルである。コイル２３は、誘導加熱によって被加熱調理器具を加熱する。即ち、コイル２３に電流が流れると電磁誘導の原理によってトッププレート２０の上に置かれた被加熱調理器具が発熱する。
【００２９】
制御装置２４は、加熱調理器４の各種動作を制御する。操作パネル２１は、制御装置２４に電気的に接続される。例えば、操作パネル２１の釦が押されると、押された釦に対応する情報が制御装置２４に入力される。また、表示装置２２は、制御装置２４に電気的に接続される。表示装置２２の表示内容は、制御装置２４によって制御される。コイル２３は、制御装置２４に電気的に接続される。コイル２３に流す電流は、制御装置２４によって制御される。例えば、制御装置２４は、操作パネル２１から入力された情報に基づいてコイル２３に流す電流を制御する。これらの動作は、動作制御部２７によって制御される。
【００３０】
電源装置２５は、制御装置２４及びコイル２３等に電力を供給する。加熱調理器４が収納庫２の電力供給位置に適切に載せられると、充電ステーション３から電源装置２５に電力が供給される。加熱調理器４が収納庫２の電力供給位置に適切に載せられている場合、電源装置２５は、充電ステーション３からの電力を制御装置２４及びコイル２３等に供給する。また、加熱調理器４が収納庫２の電力供給位置に適切に載せられると、電源装置２５は、充電ステーション３から供給される電力によって二次電池２６を充電する。
【００３１】
一方、加熱調理器４が収納庫２から取り外されると、充電ステーション３から電源装置２５に電力は供給されない。かかる場合、電源装置２５は、二次電池２６からの電力を制御装置２４及びコイル２３等に供給する。このため、加熱調理器４を収納庫２から取り外しても加熱調理器４を使用することができる。表示装置２２に、二次電池２６の残量を表示させても良い。例えば、制御装置２４は、二次電池２６の残量が基準値を下回ると、その旨を表示装置２２に表示させる。二次電池２６の残量表示は、加熱調理器４が収納庫２から取り外されている時のみ行っても良い。
【００３２】
二次電池２６は、例えば筐体部１９に着脱可能に設けられる。二次電池２６の筐体部１９への着脱は、例えば筐体部１９の下面側から行われる。
【００３３】
加熱調理器４は、調理装置１の最上部に調理装置１の一部として組み込まれる。このため、キッチンの棚等に加熱調理器４用の収納スペースを設ける必要はない。加熱調理器４は、収納庫２の電力供給位置に載せられた状態でも収納庫２から取り外された状態でも使用することができる。
【００３４】
調理装置１をリビングに設置したり来客時に使用したりすることを考慮し、調理装置１はインテリア性に優れた設計が施されることが好ましい。例えば、加熱調理器４が収納庫２の電力供給位置に載せられた際に、充電ステーション３の上方が加熱調理器４によって覆われるようにする。このような構成であれば、充電ステーション３を加熱調理器４によって隠すことができる。充電ステーション３を収納庫２の奥側の上面に設けることにより、調理装置１を正面側から見た時に充電ステーション３が視界に入らないように構成することもできる。
【００３５】
加熱調理器４が収納庫２の電力供給位置に載せられた時の加熱調理器４の前面の位置を、扉６が閉められた時の扉６の前面の位置に合わせても良い。例えば、加熱調理器４の前面と扉６の前面とが同一平面内に配置されるように電力供給位置を設定する。
【００３６】
以下に、調理装置１が採用可能な他の機能について説明する。
加熱調理器４の電源装置２５に充電ステーション３から電力が供給されている場合、調理に必要な電力をコイル２３に長時間供給しても問題はない。制御装置２４は、充電ステーション３から電源装置２５に電力が供給されている場合、例えば第１基準値以上の電流をコイル２３に流さない制御を行う。即ち、制御装置２４は、第１基準値より小さい値の電流しかコイル２３に流さない。第１基準値は予め設定される。
【００３７】
一方、電源装置２５に二次電池２６から電力が供給されている場合、二次電池２６の容量によっては、調理に必要な電力をコイル２３に長時間供給できない可能性がある。制御装置２４は、電源装置２５に二次電池２６から電力が供給されている場合、例えば第２基準値以上の電流をコイル２３に流さない制御を行う。即ち、制御装置２４は、第２基準値より小さい値の電流しかコイル２３に流さない。第２基準値は、第１基準値より小さい値である。第２基準値は予め設定される。
【００３８】
上記制御は、例えば動作制御部２７によって行われる。これにより、加熱調理器４が収納庫２から取り外された場合は、最大使用電力を抑えたモードで加熱調理器４を動作させることができる。例えば、収納庫２の上では、加熱調理器４を加熱モード及び保温モードで動作させることができる。一方、卓上では、加熱調理器４を加熱モードで動作させることができない。卓上では、加熱調理器４を保温モードで動作させることができる。
【００３９】
図５は、加熱調理器４の他の例を示す図である。加熱調理器４は、電源プラグ３２を接続するための接続部３３を備えても良い。電源プラグ３２は、マグネット式の着脱部３２ａを備える。電源プラグ３２は、例えば使用時のみ接続部３３に接続される。電源プラグ３２が接続部３３に接続されると、電源装置２５に電源プラグ３２からの電力が供給される。接続部３３は、例えば筐体部１９の背面に設けられる。
【００４０】
本実施の形態では、コイル２３に電流を流すことによって被加熱調理器具を加熱する例について説明した。コイル２３に電流を流すことによって電化調理器具に電力を供給しても良い。即ち、コイル２３を一次側コイルとして使用し、電化調理器具に内蔵されたコイルを二次側コイルとして使用する。電化調理器具は、電力によって調理を行う調理器具である。電化調理器具は、トッププレート２０の上に載せられる。電化調理器具の例として、コーヒーメーカ及びフードプロセッサが図１に示されている。
【００４１】
このような機能を実現するため、制御装置２４に、例えば検出部２８及び２９が備えられる。検出部２８は、トッププレート２０の上に被加熱調理器具が載せられたことを検出する。検出部２９は、トッププレート２０の上に電化調理器具が載せられたことを検出する。例えば、動作制御部２７は、コイル２３に短時間だけ電流を流す。検出部２８は、この時の電流の流れ具合に基づいて、トッププレート２０の上に載せられている調理器具が被加熱調理器具であることを検出する。同様に、検出部２９は、この時の電流の流れ具合に基づいて、トッププレート２０の上に載せられている調理器具が電化調理器具であることを検出する。
【００４２】
被加熱調理器具が載せられたことが検出部２８によって検出されると、制御装置２４は、誘導加熱によって被加熱調理器具を加熱するための制御を行う。電化調理器具が載せられたことが検出部２９によって検出されると、制御装置２４は、電化調理器具に電力を供給するための制御を行う。被加熱調理器具を加熱するための制御は、電化調理器具に電力を供給するための制御とは異なる制御である。例えば、電化調理器具に電力を供給する際の最大使用電力は、被加熱調理器具を加熱する際の最大使用電力より小さい値に設定される。上記制御は、例えば動作制御部２７によって行われる。これにより、加熱調理器４を種々の目的で使用することができるようになる。
【００４３】
トッププレート２０の上に載せられている調理器具を手動で指定するように構成しても良い。例えば、操作パネル２１に、入力釦３０及び３１が備えられる。入力釦３０は、トッププレート２０の上に載せられている調理器具が被加熱調理器具である旨を入力するための釦である。入力釦３０は、被加熱調理器具が載せられた旨を入力する手段の一例である。入力釦３１は、トッププレート２０の上に載せられている調理器具が電化調理器具である旨を入力するための釦である。入力釦３１は、電化調理器具が載せられた旨を入力する手段の一例である。
【００４４】
被加熱調理器具が載せられた旨が入力釦３０から入力されると、制御装置２４は、誘導加熱によって被加熱調理器具を加熱するための制御を行う。一方、電化調理器具が載せられた旨が入力釦３１から入力されると、制御装置２４は、電化調理器具に電力を供給するための制御を行う。上記制御は、例えば動作制御部２７によって行われる。
【００４５】
操作パネル２１に、入力釦３０又は入力釦３１の一方のみが備えられていても良い。例えば、操作パネル２１に入力釦３１のみが備えられる。かかる場合、電化調理器具が載せられた旨が入力釦３１から入力されていなければ、制御装置２４は、誘導加熱によって被加熱調理器具を加熱するための制御を行う。電化調理器具が載せられた旨が入力釦３１から入力されると、制御装置２４は、電化調理器具に電力を供給するための制御を行う。操作パネル２１に入力釦３０のみを備えても良い。上記制御は、例えば動作制御部２７によって行われる。
【００４６】
本実施の形態において、符号２７〜２９に示す各部は制御装置２４が有する機能を示す。制御装置２４は、ハードウェア資源として、例えば入出力インターフェースとＣＰＵとメモリとを含む回路を備える。制御装置２４は、メモリに記憶されたプログラムをＣＰＵによって実行することにより、各部２７〜２９が有する各機能を実現する。各部２７〜２９が有する機能の一部又は全部をハードウェアによって実現しても良い。
【符号の説明】
【００４７】
１  調理装置、  ２  収納庫、  ３  充電ステーション、  ４  加熱調理器、  ５  筐体部、  ６  扉、  ７  断熱構造体、  ８  温度センサ、  ９  冷却装置、  １０  排気ファン、  １１  制御装置、  １２  電源装置、  １３  吸気孔、  １４  排気孔、  １５  電源プラグ、  １６  キャスター、  １７  高さ調節軸（高さ調節手段）、  １８  車輪、  １９  筐体部、  ２０  トッププレート、  ２１  操作パネル、  ２２  表示装置、  ２３  コイル、  ２４  制御装置、  ２５  電源装置、  ２６  二次電池、  ２７  動作制御部、  ２８  検出部（第１検出手段）、  ２９  検出部（第２検出手段）、  ３０  入力釦（第１入力手段）、  ３１  入力釦（第２入力手段）、  ３２  電源プラグ、  ３３  接続部
【図１】
0006417980.tif 000002
【図２】
0006417980.tif 000003
【図３】
0006417980.tif 000004
【図４】
0006417980.tif 000005
【図５】
0006417980.tif 000006